(57)【要約】      （修正有）【課題】ヘルメットの後頭部側に着脱可能に装着され、作業員の後頭部、頸椎等を保護するためのヘルメット装着型後頭部保護体を提供する。【解決手段】ヘルメット装着型後頭部保護体は、頭部を覆う帽体１１と、帽体の内側に配置され帽体を作業員の頭部に保持するための着装体とから構成されている。着装体は、頭部の大きさに合わせて周長を調節可能なヘッドバンド１５を備え、ヘルメット装着型後頭部保護体２０は、筒状の部位であって、中空穴の中心線を頭部の上下方向に向け、所定の間隔毎に、複数、並設される中空状保護部２１と、曲板状の部位であって、中空状保護部が並設するように、一体に連結するための連結板部と、ヘッドバンドに着脱可能に装着するための装着部とから構成される緩衝吸収材製のものである。【選択図】図１
0003166090.tif 000002
【実用新案登録請求の範囲】
【請求項１】
頭部を覆う帽体と、前記帽体の内側に配置され前記帽体を、着用する作業員の頭部に保持するための着装体とから構成されているヘルメットの後頭部側に着脱可能に装着されるヘルメット装着型後頭部保護体であって、
前記着装体は、前記頭部の大きさに合わせて周長を調節可能なヘッドバンドを備え、
前記ヘルメット装着型後頭部保護体は、筒状の部位であって、中空穴の中心線を前記頭部の上下方向に向け、所定の間隔毎に、複数、並設される中空状保護部と、曲板状の部位であって、前記中空状保護部が並設するように、一体に連結するための連結板部と、前記ヘッドバンドに着脱可能に装着するための装着部とから構成される緩衝吸収材製のものである
ことを特徴とするヘルメット装着型後頭部保護体。
【請求項２】
請求項１に記載されたヘルメット装着型後頭部保護体において、
前記ヘルメット装着型後頭部保護体には、着用している作業員の後頭部と対向する側の面に、合成スポンジ製の緩衝体が設けられている
ことを特徴とするヘルメット装着型後頭部保護体。
【請求項３】
請求項１または２に記載されたヘルメット装着型後頭部保護体において、
前記装着部には、弾性変形して前記ヘッドバンドに着脱可能であるとともに、前記ヘッドバンドに吊設するための吊下げ部が設けられている
ことを特徴とするヘルメット装着型後頭部保護体。
【考案の詳細な説明】
【技術分野】
【０００１】
本考案は、ヘルメットの後頭部側に着脱可能に装着され、作業員の後頭部、頸椎等を保護するためのヘルメット装着型後頭部保護体に関する。
【背景技術】
【０００２】
法律（労働安全衛生法）で定める危険な作業場所（例えば、高層建築物、橋梁等建築物の建設現場、足場の組立現場等）やこれに準ずる場所で作業を行うとき、頭部を保護するためのヘルメット（保護帽）を、作業員は安全のために着用（装着）している。すなわち、ヘルメットは、飛来物または落下物による危険を防止または軽減するためのもの、墜落による危険を防止または軽減するためのものとされている。しかしながら、作業員が後方に転倒した際に、ヘルメットの保護範囲外である後頭部を強打し、死亡または重傷となる事例が報告されている。すなわち、頭部は保護されたとしても、その周辺部位である頸椎、後頭部等を保護することができず、死亡または重傷となるのである。
【０００３】
その対策として、いろいろな提案がなされている。例えば、バックバンドに後頭部及び頸筋を覆うカバーをジッパを介して着脱自在に装着し、カバーに設けた袋部に後頭部及び頸筋を衝撃から保護するためのパッドを収容した首保護部材付ヘルメットが知られている（例えば、特許文献１参照）。また、ヘルメットの頭頂部にエアバックモジュールを設け、エアバック展開時に頭部もしくは上半身を包むように、複数のストラップを設け展開方向を制御するエアバック付きヘルメットも知られている（例えば、特許文献２参照）。
【先行技術文献】
【特許文献】
【０００４】
【特許文献１】特開２００３−１４７６２３号公報
【特許文献２】特開平０８−９１１６２号公報
【考案の概要】
【考案が解決しようとする課題】
【０００５】
しかしながら、特許文献１の首保護部材付ヘルメットは、内面に袋部が縫着された布製のカバー、バックバンドとカバーとの間のジッパ、緩衝材からなるパッド等を必要とするものであり生産性がよくない。また、バックバンド、布製カバー、緩衝材からなるパッド等が必要であり、軽量化が図れないおそれがあるという問題点があった。さらに、布は、雨や汗等の水分を含むことにより重くなるおそれがある。また、特許文献２のエアバッグ付きヘルメットは、ヘルメットの頭頂部にエアバッグモジュールがあり、通常の作業時に、エアバッグモジュールが天井等に当接するおそれがあり作業性がよくないという問題点がある。さらに、エアバッグモジュールが誤動作する可能性もあるという問題点もある。
【０００６】
ヘルメットは、作業員が着用したとき、頭部等の保護を図るためのものではあるが、長時間、着用するものであるため首や肩に疲労感が感じることがある。そのため、首や肩にかかる負担軽減等を行って、ヘルメットを着用していることを感じさせないために、ヘルメットを軽量化することに関する要望がある。また、構成を簡素にして、飛来物、落下物による危険時、墜落事故による危険時に確実な保護が図れることも要求されるものである。さらに、ヘルメットが大型化したり、凸状の部位があったりすると、作業員は、ヘルメットを着用しない場合より、ヘルメットを着用したために、建築物、足場材等にヘルメットを介して頭部を多くぶつけてしまうなどの問題点が生じてしまう。
【０００７】
すなわち、作業員の頭部、後頭部等を保護するためのヘルメット、首保護部材等はまだまだ改良改善の余地が多く残されているものであり、作業員が後頭部を強打し、死亡または重傷となる事例をなくすためにも、後頭部、頸椎等を保護できるヘルメット装着型後頭部保護体の早急な開発が要望されている。
【０００８】
本考案は、このような従来の問題点を解決するためになされたもので、次の目的を達成する。
本考案の目的は、ヘルメットの後頭部側に着脱可能に装着され、作業員の後頭部、頸椎等の保護が確実に行えるとともに、作業員が保護体付ヘルメットを着用したとき、軽量化、使い勝手の点で、従来のヘルメットとほとんど差を感じることがないヘルメット装着型後頭部保護体を提供することにある。
【課題を解決するための手段】
【０００９】
本考案は、前記目的を達成するための次の手段を有する。
本考案１のヘルメット装着型後頭部保護体は、
頭部を覆う帽体と、前記帽体の内側に配置され前記帽体を、着用する作業員の頭部に保持するための着装体とから構成されているヘルメットの後頭部側に着脱可能に装着されるヘルメット装着型後頭部保護体であって、前記着装体は、前記頭部の大きさに合わせて周長を調節可能なヘッドバンドを備え、前記ヘルメット装着型後頭部保護体は、筒状の部位であって、中空穴の中心線を前記頭部の上下方向に向け、所定の間隔毎に、複数、並設される中空状保護部と、曲板状の部位であって、前記中空状保護部が並設するように、一体に連結するための連結板部と、前記ヘッドバンドに着脱可能に装着するための装着部とから構成される緩衝吸収材製のものであることを特徴とする。
【００１０】
本考案２のヘルメット装着型後頭部保護体は、本考案１において、
前記ヘルメット装着型後頭部保護体には、前記ヘルメットが着用されたときの頭部側に、合成スポンジ製の緩衝材が設けられていることを特徴とする。
【００１１】
本考案３のヘルメット装着型後頭部保護体は、本考案１または２において、
前記装着部には、弾性変形して前記ヘッドバンドに着脱可能であるとともに、前記ヘッドバンドに吊設するための吊下げ部が設けられていることを特徴とする。
【考案の効果】
【００１２】
本考案のヘルメット装着型後頭部保護体は、ヘルメットの後頭部側に着脱可能に装着され、作業員の後頭部、頸椎等を確実に保護することができる。このヘルメット装着型後頭部保護体は、通常はプラスチックとしての高い強度や剛性のプラスチックとしての特性を示すが、急激に衝撃を加えたときにゴムのように変形して衝撃を吸収する衝撃吸収材で形成され、かつ、中空穴を有する中空状保護部を有している。そのため、作業員の後頭部、頸椎等を確実に保護することができる。言い換えると、このヘルメット装着型後頭部保護体は、作業員が後方に転倒したとき、保護体付ヘルメットを着用している作業員の後頭部、頸椎等を保護することができるため、従来より軽傷ですむようにすることができる。
【００１３】
また、ヘルメット装着型後頭部保護体は、衝撃吸収材で一体に成形されているものであり、生産性がよく、経済的効果が生じる。さらに、従来より使用しているヘルメットのヘッドバンドに、ヘルメット装着型後頭部保護体を吊下げて装着させればよく、新たなヘルメットを必要としないので普及拡大が容易である。そして、ヘルメット装着型後頭部保護体は、ヘッドバンドに着脱が容易であり、吊下げて装着した状態ではヘッドバンドから外れてしまうことが生じない。また、ヘルメット装着型後頭部保持体は、軽量に製造されているので、保護体付ヘルメットを着用している作業員が、軽量化、使い勝手の点で、従来のヘルメットとほとんど差を感じることがない。
【図面の簡単な説明】
【００１４】
【図１】図１は、本考案のヘルメット装着型後頭部保護体が装着された保護体付ヘルメットを、作業員が着用している状態を斜め後方から図示した外観図である。
【図２】図２は、ヘルメット装着型後頭部保護体を示す平面図である。
【図３】図３は、ヘルメット装着型後頭部保護体を示す正面図である。
【図４】図４は、図２をＡ−Ａ線で切断した断面図である。
【図５】図５は、図２をＢ−Ｂ線で切断した断面図である。
【考案を実施するための形態】
【００１５】
以下、本考案のヘルメット装着型後頭部保護体の実施の形態を、図１〜図５に基づいて詳細に説明する。
図１は、本考案のヘルメット装着型後頭部保護体が装着された保護体付ヘルメットを、作業員が着用している状態を斜め後方から図示した外観図である。図２は、ヘルメット装着型後頭部保護体を示す平面図、図３は、ヘルメット装着型後頭部保護体の正面図、図４は、図２をＡ−Ａ線で切断した断面図、図５は、図２をＢ−Ｂ線で切断した断面図である。
【００１６】
図１に示すように、保護体付ヘルメット１は、ヘルメット１０に、ヘルメット装着型後頭部保護体（以下、後頭部保護体と記載する。）２０が着脱可能に装着されたものである。ヘルメット１０は、殻の部分である帽体１１と内装体とからなる産業用保護帽（例えば、作業用ヘルメット、工事用ヘルメット）としてよく知られているものである。帽体１１は、ＡＢＳ（アクリルニトリル・ブタジエン・スチレン）樹脂、ＰＣ（ポリカーボネート）、ＰＥ（ポリエチレン）、ＦＲＰ（繊維強化プラスチック）等合成樹脂で形成されている。内装体は、着用する作業員自身の頭部の大きさ（頭周サイズ）に合わすためのヘッドバンド１５、帽体１１の頭部への当たりを良くしたり衝撃吸収の役目をもつハンモック（図示せず）、ヘルメットの脱落防止の役目をもつ耳掛け紐１７、あご紐１８等から構成されている。また、帽体１１と内装体のハンモックとの間には、衝撃を吸収するための衝撃吸収ライナー（図示せず）が設けられている。なお、ヘッドバンドは、ヘッドバンドに設けられた係合凸部と係合穴の位置を選択調整することで、作業員自身の頭部の大きさに合わせて周長を調節するヘッドバンド、ラチェット式で作業員自身の頭部の大きさに合わせて周長を調節するヘッドバンド等であればよい。
【００１７】
図２〜５に従って、後頭部保護体２０の構成について説明を行う。
この後頭部保護体２０は、中空穴２１ａの中心線を平行にして、所定の間隔毎に、複数本（この形態では７本）並列される中空状保護部２１と、中空状保護部２１を一体に連結するための連結板部２６と、ヘルメット１０に着脱可能に装着するための装着部２９とから構成されている。連結板部２６は、平面視したとき所定の半径を有する曲板状の部材である（図２参照）。この所定の半径とは、ヘルメット１０の後頭部側形状に近い形状になるように形成された半径である。中空状保護部２１は、連結板部２６から、曲板の外方側に凸状に設けられている。言い換えると、中空状保護部２１は、作業員が保護体付ヘルメット１を着用したときに、頭部と対向する面の反対側の面に凸状に設けられている。この形態の中空状保護部２１の中空穴２１ａは、断面形状が円状のものであるが、楕円状、長円状、角穴状などの他の形状のものであってもよい。その場合、中空状保護部は、断面視した肉厚がほぼ一定になるように、同様な外形形状になっているとよい。
【００１８】
装着部２９は、連結板部２６の中央部の上方側から水平方向に連続するように形成される上板部２２、上板部２２から下方側に延びて形成される後方板部２３等から構成されている。後方板部２３の周方向の両端近傍には、各々、係合爪部２４ａが先端に形成された吊下げ部２４が設けられている。後方板部２３の吊下げ部２４近傍には穴部２５が形成されている。ヘッドバンド１５は、後方板部２３と吊下げ部２４との間の空間２７（図５参照）に位置して、後頭部保護体２０を吊下げて保持している。
【００１９】
この後頭部保護体２０は、通常はプラスチックとしての高い強度や剛性のプラスチックとしての特性を示すが、急激に衝撃を加えたときにゴムのように変形して衝撃を吸収する衝撃吸収材で一体に成形されている。衝撃吸収材は、ポリアミドと反応官能基を有する樹脂（例えば、ポリオレフィン）をナノメートル単位の粒子にして最適に混合することにより生成される衝撃吸収材である。この衝撃吸収材の製造には、多軸押出機を用いて溶融混練するとよい。そして、後頭部保護体２０は、この衝撃吸収材を押出成形、射出成形等で、一体に、成形されたものである。この熱可塑性樹脂組成物およびその製造方法に関しては、特開２００８−１５６６０４号公報、特開２００９−２０３４１０号公報等に開示されている技術であり、この実施の形態の説明ではこれ以上の説明を省略する。
なお、後頭部保護体の材質は、前述した衝撃吸収材に限定されるものではなく、ＰＥ（ポリエチレン）、ＥＶＡ（塩化ビニル共重合樹脂）、軟質塩化ビニルなど同様な効果が発揮できるものであればよい。
【００２０】
また、後頭部保護体２０には、所定の間隔毎（角度毎）に、中空状保護部２１が複数本設けられている。また、中空状保持部２１の中空穴２１ａは、中心線が保護体付ヘルメット１を着用している作業員の頭部の上下方向を向くように位置している。すなわち、保護体付ヘルメット１を着用している作業員が立っているとき、中空状保護部２１は中空穴２１ａの中心線が略鉛直方向を向くように位置して、作業員の後頭部、頸椎等を保護するようになっている。また、後頭部保護体２０は、作業員が保護体付ヘルメット１を着用したとき、作業員の後頭部、後頭部周辺を囲むように位置している（図１参照）。そして、作業員が後方に転倒等して、衝撃が加わったとき、中空状保護部２１は、ゴムのように変形して衝撃を吸収できるようになっている。また、作業員が後方に転倒して、作業員の後頭部、頸椎等に衝撃が加わろうとしたとき、身体の向きが多少ずれても、２本以上の中空状保護部２１で衝撃を受けることができるので衝撃を吸収する能力が高い。
【００２１】
次に、ヘルメット１０に、後頭部保護体２０を装着、離脱させる方法について説明を行う。
後方板部２３と係合爪部２４ａの間に、ヘッドバンド１５の上部側を差し込み、後頭部保護体２０をヘッドバンド１５の下方側に押し込む。吊下げ部２４の係合爪部２４ａが、後方板部２３から離れる方向に弾性変形（図５に２点鎖線で示した係合爪部２４ａ’参照）するので、空間２７内にヘッドバンド１５が徐々に挿入される。すなわち、図５に示すように、ヘッドバンド１５’がヘッドバンド１５の状態になる。ヘッドバンド１５が空間２７内に全部挿入されると、係合爪部２４ａは、弾性で図５に実線で示した元の状態に戻り、ヘッドバンド１５から後頭部保護体２０が外れないように取り付けられる。後頭部保護体２０がヘルメット１０のヘッドバンド１５に装着される。ヘルメット１０から後頭部保護体２０を外す場合には、穴部２５を介して、係合爪部２４ａをヘッドバンド１５とともに中空状保護部２１側に押し込み、係合爪部２４ａを後方板部２３から離れる方向に弾性変形させる。後方板部２３と係合爪部２４ａの間からヘッドバンド１５を離脱させれば外すことができる。このように、後頭部保護体２０は、ヘルメット１０に対して着脱可能になっており、ヘルメット１０、後頭部保護体２０に問題が発生した場合に容易に交換することができる。
【００２２】
後頭部保持体２０の内方側（保護体付ヘルメット１を着用している作業員の頭部と対向する側）の面には、スポンジ製の緩衝体３０が設けられている。この緩衝体３０は、後頭部保護体２０の上下方向中央部から下部側に設けられており、下部側は、後頭部保護体２０より突き出るように設けられている。この緩衝体３０は、後頭部保持体２０の内方側（作業員の頭部と対向する側）の面に接着剤で接着されている。この緩衝体３０は、作業員が保護体付ヘルメット１を着用しているときの着用感を向上させるためのものであるが、この緩衝体３０でも後頭部等の保護を行うことができる。緩衝体３０は、ポリウレタン等の合成樹脂を発泡成形してつくられる合成スポンジで製造されたものであり、緩衝体３０の内方側の面が中空状保護部２１の中空穴２１ａの軸線と直交する方向に順次凹凸する凹凸面に形成されている。
【００２３】
本考案の後頭部保護体２０の評価を下記に示す方法で行った。
重量４９Ｎ（５Ｋｇｗ）の錘をつけたＨ形鋼、及び、重量４９Ｎ（５Ｋｇｗ）の錘をつけた単管を、高さ５００ｍｍから自然落下させたときの衝撃荷重を、後頭部保護体「有」、後頭部保護体「無」で測定し、下記に示す式で衝撃吸収率の評価を行った。なお、後頭部保護体２０は、作業員に装着されている状態を模式的に再現するための衝撃試験用取付具に取り付けられ、衝撃荷重は、衝撃試験用取付具の下部に設けられたロードセルで測定している。
衝撃吸収率＝｛１−（後頭部保護体「有」の場合の衝撃荷重／後頭部保護体「無」の場合の衝撃荷重）｝＊１００    （％）                …（式）
【００２４】
後頭部保護体２０を装着した保護体付ヘルメット１を、作業員が着用した場合の衝撃吸収率は、単管の場合で約７３．０％（例えば、後頭部保護体「有」の衝撃荷重：８．９ｋＮ，後頭部保護体「無」の衝撃荷重：３３．０ｋＮ）である。また、Ｈ形鋼の場合の衝撃吸収率は、約７５．４％（例えば、後頭部保護体「有」の衝撃荷重：１２．９ｋＮ，後頭部保護体「無」の衝撃荷重：５２．４ｋＮ）である。すなわち、後頭部保護体２０が衝撃荷重を大きく低減させる効果を備えていることが確認された。従って、この後頭部保護体２０は、保護体付ヘルメット１を着用している作業員の後頭部、頸椎等を保護するものとして、大きな効果を呈するものと評価をすることができる。言い換えると、作業員が後方に転倒しても、保護体付ヘルメット１を着用していれば従来より軽傷ですむようになる。
【００２５】
以上、本考案の実施の形態を説明したが、本考案はこれに限定されるものではない。本考案の、目的、趣旨を逸脱しない範囲内での変更が可能なことはいうまでもない。
【符号の説明】
【００２６】
１  …  保護体付ヘルメット
１０  …  ヘルメット
１１  …  帽体
１５  …  ヘッドバンド
１７  …  耳掛け紐
１８  …  あご紐
２０  …  ヘルメット装着型後頭部保護体
２１  …  中空状保護部
２２  …  上板部
２３  …  後方板部
２４  …  吊下げ部
２５  …  穴部
２６  …  連結板部
２９  …  装着部
３０  …  緩衝体
【図１】
0003166090.tif 000003
【図２】
0003166090.tif 000004
【図３】
0003166090.tif 000005
【図４】
0003166090.tif 000006
【図５】
0003166090.tif 000007